(57)【特許請求の範囲】
【請求項１】
内側周壁と外側周壁から成る二重周壁を有し隣接する周壁の両方の内側周壁を一体の連結片で接続した多角形紙箱において、隣接する一方の周壁の外側周壁の両端に接続片を設け隣接する他方の周壁の外側周壁の両端にその上側縁に達しない切欠きを設け、前記連結片を中心折り目によって２分された形状と接続片及び切欠きをほぼ同形とし、前記外側周壁を内側周壁の外面に貼り合せると共に前記接続片を連結片の外面に貼り合せ、前記連結片を二つ折りにしかつ連結片に接合された接続片と共に一方の周壁の端縁から他方の周壁の外面へ折り曲げ、前記二つ折りにした連結片を前記切欠き内にぴったりと収納して固着したことを特徴とする内容物収納用多角形紙箱。
【発明の詳細な説明】
【０００１】
【発明の技術分野】
この発明は、厚紙によって形成した多角形の紙箱に関する。
【０００２】
【従来の技術】
多角形紙箱のコーナ部は、隣接する側壁の端部を互に連結片で接続して形成されている。このコーナ部の水密性などを高めるため、図７及び図８に示すように、隣接する側壁２ａ、２ｂ、２ｃ、２ｄ間を連結片４ａ、４ｂ、４ｃ、４ｄで一連に接続したものがある。この紙箱は、底壁１の各辺に設けた折り目１ａ、１ｂ、１ｃ、１ｄに沿って側壁２ａ、２ｂ、２ｃ、２ｄを立ち上げ、それと同時に各連結片４ａ、４ｂ、４ｃ、４ｄを両側の折り目３ａ、３ｂ、折り目３ｂ、３ｃ、折り目３ｃ、３ｄ、折り目３ｄ、３ａと中心の折り目５ａ、５ｂ、５ｃ、５ｄによって外側に突出するように折り曲げ、各側壁の両端が隣接する側壁の両端と突き合されるまで各側壁を立ち上げた後、図８に示すように、二つ折りにした連結片４ａ、４ｂ、４ｃ、４ｄの内面を立ち上げた側壁２ａ、２ｃの両端部に接着剤で固着したものである。
【０００３】
【発明の課題】
しかしながら、図８から明らかなように、各連結片４ａ、４ｂ、４ｃ、４ｄの上端面が箱の上面に露出しているため、外観的に好ましくないばかりでなく、内容物が箱の上面から遺漏すると連結片の上端面から浸透したり、折り目中に侵入する問題がある。
【０００４】
一方、側壁を補強するため、二重側壁にすることも従来から行なわれているが、前記図７、８に示したと同様の連結片を設け、この連結片を隣接する二重側壁の間に挟み込むようにしたものがある。このような紙箱では、連結片の上端面が隠れるため、前述した問題点は解消できるが、自動製函を行なうためには、所謂８点貼り製函機のような複雑な装置が必要となり、コスト高になる問題がある。
【０００５】
そこで、この発明の課題は、簡単な構造でコーナ部の連結片の上端面が箱の上面に露出しないようにすることである。
【０００６】
【課題の解決手段】
上記の課題を解決するために、この発明は、内側周壁と外側周壁から成る二重周壁を有し隣接する周壁の両方の内側周壁を一体の連結片で接続した内容物収納用多角形紙箱において、隣接する周壁の両方の内側周壁を一体の連結片で接続し、隣接する一方の周壁の外側周壁の両端に接続片を設け、隣接する他方の周壁の外側周壁の両端にその上側縁に達しない切欠きを設け、前記連結片をその中心折り目によって２分された形状と接続片及び切欠きをほぼ同形とし、前記外側周壁を内側周壁の外面に貼り合せると共に前記接続片を連結片の外面に貼り合せ、前記連結片を二つ折りにしかつ連結片に接合された接続片と共に一方の周壁の端縁から他方の周壁の外面へ折り曲げ、前記二つ折りにした連結片を前記切欠き内にぴったりと収納して固着したのである。このようにすると、連結片の上端面が紙箱の上面に露出しない。
【０００７】
【実施の形態】
以下、この発明の実施形態を図１乃至図６に基づいて説明する。図１は、この発明の紙箱を形成するブランクを示す。図示のように、四角形の底壁１０の各辺には、折り目１０ａ、１０ａを介して一対の内側壁１１ａ、１１ａと、折り目１０ｂ、１０ｂを介して一対の内端壁１２ａ、１２ａが設けられている。これらの内側壁１１ａ及び内端壁１２ａは、折り目１０ａ、１０ｂから外側に拡がる台形状になっており、それぞれの内側壁１１ａ及び内端壁１２ａには、折り目１０ｃ、１０ｄを介して、外側壁１１ｂ及び外端壁１２ｂが形成されている。
【０００８】
前記内側壁１１ａと内端壁１２ａの両端間は、折り目２１ａ、２２ａを介して一体形成された連結片２３によってそれぞれ接続されている。この連結片２３の中心には折り目２３ａが形成され、連結片２３を二つ折り可能になっている。また、前記各外側壁１１ｂの両端には、折り目２１ｂを介して接続片２４がそれぞれ設けられ、各外端壁１２ｂの両端には、それぞれ切欠き２５が設けられている。この切欠き２５の上縁２５ａ（図３、図４参照）は、折り目１０ｄよりも下方に位置している。これら連結片２３の中心折り目２３ａによって２分された三角形と接続片２４の三角形及び切欠き２５の両端を結ぶ三角形はほぼ同形にしてある。
【０００９】
図１のようなブランクから箱を組立てる場合、まず、外側壁１１ｂ、１１ｂと外端壁１２ｂ、１２ｂを、それぞれ折り目１０ｃ、１０ｃ、１０ｄ、１０ｄに沿って折り曲げ、内側壁１１ａ、１１ａと内端壁１２ａ、１２ａの外面（図１の裏面側）に接着剤で貼り合せる。貼り合せた状態が図２に示されている。図２(イ) は表面から見た図、図２(ロ) は裏面から見た図である。この場合、各外側壁１１ｂの両端に設けられた接続片２４は、図２(ロ) に示すように、連結片２３の折り目２３ａで２分された一方の三角形部分に貼り合される。このように、各側壁１１ａと１１ｂ及び各端壁１２ａと１２ｂとが重ね合されて二重になった状態で自動製函機に供給される。
【００１０】
上記の状態で、図３に示すように、内側壁１１ａと外側壁１１ｂから成る側壁１１及び内端壁１２ａと外端壁１２ｂから成る端壁１２を、折り目１０ａ及び折り目１０ｂに沿って折り曲げ、底壁１０から立ち上げ、側壁１１と端壁１２の端縁を突き合せると、連結片２３とそれに接合された接続片２４は、端壁１２の端縁から二つ折りされた状態で突出する。そこで、突出した連結片２３（接続片２４を含む）を端壁１２の端部に形成された切欠き２５の方向へ、折り目２１ａ、２２ａに沿って折り曲げ、折り目２３ａで二つ折りにされた連結片２３を切欠き２５内に接着剤で固着する。切欠き２５は、図４に示すように、二つ折りにされた連結片２３がぴったりと収まる形状に予め形成されているため、箱の上面から連結片２３の上端面が見えることがない。
【００１１】
前記連結片２３を収納する切欠き２５は、箱の上面から連結片２３が見えないような形状であれば図示のような三角形状に限定されず、例えば図５に示すような形状でもよい。この切欠き２５の形状に合致するよう連結片２３及び接続片２４の形状を規定すればよい。図６は、図５のようなブランクから形成した箱の連結片２３とそれを収めた切欠き２５を示す。
【００１２】
この発明の紙箱の材料は、厚紙のほか、紙に合成樹脂をコーティングしたものや合成樹脂フィルム或は金属箔を貼り合せたものなどを用いることができる。また箱の形状も四角形に限らず、三角形その他の多角形でもよい。従って前述の実施形態において、側壁と端壁を区別して表現したが、周壁を形成するものであれば特に区別する必要はない。
【００１３】
【発明の効果】
この発明によれば、以上のように、二重壁の多角形容器の周壁に設けた連結片を隣接する周壁の外面に接合するようにしたので、４点貼り製函機のような簡単な装置で自動製函することができ、コストを削減することができる。そして、連結片を隣接する周壁の外面に設けた切欠き内に収納したので、箱の上面に連結片の端面が露出せず、外観的に好ましいばかりでなく、端面から液体などが浸入することがなく耐水性を高めることができる。
【図面の簡単な説明】
【図１】この発明の紙箱のブランクの一例を示す平面図
【図２】（イ）同上のブランクを二重壁にした平面図
（ロ）同上の裏面図
【図３】紙箱の組立て中のコーナ部の状態を示す斜視図
【図４】紙箱の正面図
【図５】ブランクの他の例を示す平面図
【図６】同上のブランクから形成した紙箱の正面図
【図７】従来の紙箱のコーナ部を示す斜視図
【図８】従来の紙箱の平面図
【符号の説明】
１  底壁
１ａ、１ｂ、１ｃ、１ｄ  折り目
２ａ、２ｂ、２ｃ、２ｄ  側壁
３ａ、３ｂ、３ｃ、３ｄ  折り目
４ａ、４ｂ、４ｃ、４ｄ  連結片
１０  底壁
１０ａ、１０ｂ、１０ｃ、１０ｄ  折り目
１１  側壁
１１ａ  内側壁
１１ｂ  外側壁
１２  端壁
１２ａ  内端壁
１２ｂ  外端壁
２１ａ、２１ｂ  折り目
２２ａ、２２ｂ  折り目
２３  連結片
２４  接続片
２５  切欠き
２５ａ  切欠きの上縁
【図１】
0004435359.tif 000002
【図２】
0004435359.tif 000003
【図３】
0004435359.tif 000004
【図４】
0004435359.tif 000005
【図５】
0004435359.tif 000006
【図６】
0004435359.tif 000007
【図７】
0004435359.tif 000008
【図８】
0004435359.tif 000009